(57)【特許請求の範囲】
【請求項１】
複数の乳幼児の脳波データを取得する脳波データ取得部と、
前記脳波データに含まれる複数の周波数成分の周波数成分比に基づいて、前記複数の乳幼児の脳の成長レベルを判定する成長レベル判定部と、
前記成長レベルに応じたコンテンツを決定するコンテンツ決定部と、
前記コンテンツ決定部によって決定された前記コンテンツを前記複数の乳幼児のうちの第１の乳幼児が視聴開始した後の状態における、前記第１の乳幼児の反応に関する反応情報を取得する反応情報取得部と、
前記コンテンツ決定部によって決定された前記コンテンツを前記第１の乳幼児が視聴開始した後の前記状態における前記第１の乳幼児の前記脳波データと、前記反応情報とが対応付けられたデータベースと、
前記周波数成分比に基づいて前記第１の乳幼児の感情を推定する感情推定部とを備え、
前記感情推定部は、前記複数の乳幼児のうちの前記第１の乳幼児とは異なる第２の乳幼児のコンテンツ視聴開始前後における前記脳波データの前記周波数成分比の変動に対応する前記第２の乳幼児の感情の変化を、前記データベースを参照して推定し、
前記コンテンツ決定部は、前記感情推定部によって推定された前記第２の乳幼児の前記感情の前記変化に基づいて、前記第２の乳幼児が視聴している前記コンテンツを変更するか否かを決定する、
コンテンツ提供システム。
【請求項２】
請求項１に記載のコンテンツ提供システムにおいて、
前記コンテンツ決定部は、前記複数の乳幼児に含まれる各乳幼児の前記成長レベルとともに前記各乳幼児の能力に関する履歴情報に基づいて、前記コンテンツを決定する、
コンテンツ提供システム。
【発明の詳細な説明】
【技術分野】
【０００１】
本発明は、コンテンツ提供システムに関する。
【背景技術】
【０００２】
特許文献１には、測定データを処理して幼児に適した学習材料を選択してカスタマイズする幼児監視システムが開示されている。学習材料は、幼児の発達年齢、準備の具合、これまでの学習経験、養護者フィードバック等の要因に基づいてカスタマイズできる。幼児監視装置が集めた測定データは、幼児の動き、体温、体位および目覚めを含んでいる。マイクロホンまたはカメラ等の各装置から集めた環境センサデータは、音声レベルおよびビデオストリームを含んでいる。
【先行技術文献】
【特許文献】
【０００３】
【特許文献１】国際公開第２０１６／１７８７７１号
【発明の概要】
【発明が解決しようとする課題】
【０００４】
特許文献１に開示された幼児監視システムは、笑みおよび凝視に基づいて幼児の発達年齢を判断し、どのような学習材料を提示すべきかを決定する。しかし、乳幼児の内面的な成長に応じて適切なコンテンツを、表面に現れる笑みおよび凝視に基づいて提供することは容易ではないという問題がある。
【課題を解決するための手段】
【０００５】
本発明の第１の態様によると、コンテンツ提供システムは、複数の乳幼児の脳波データを取得する脳波データ取得部と、前記脳波データに含まれる複数の周波数成分の周波数成分比に基づいて、前記複数の乳幼児の脳の成長レベルを判定する成長レベル判定部と、前記成長レベルに応じたコンテンツを決定するコンテンツ決定部と、前記コンテンツ決定部によって決定された前記コンテンツを前記複数の乳幼児のうちの第１の乳幼児が視聴開始した後の状態における、前記第１の乳幼児の反応に関する反応情報を取得する反応情報取得部と、前記コンテンツ決定部によって決定された前記コンテンツを前記第１の乳幼児が視聴開始した後の前記状態における前記第１の乳幼児の前記脳波データと、前記反応情報とが対応付けられたデータベースと、前記周波数成分比に基づいて前記第１の乳幼児の感情を推定する感情推定部とを備える。前記感情推定部は、前記複数の乳幼児のうちの前記第１の乳幼児とは異なる第２の乳幼児のコンテンツ視聴開始前後における前記脳波データの前記周波数成分比の変動に対応する前記第２の乳幼児の感情の変化を、前記データベースを参照して推定する。前記コンテンツ決定部は、前記第２の乳幼児の前記感情の前記変化に基づいて、前記第２の乳幼児が視聴している前記コンテンツを変更するか否かを決定する。
本発明の第２の態様によると、第１の態様のコンテンツ提供システムにおいて、前記コンテンツ決定部は、前記複数の乳幼児に含まれる各乳幼児の前記成長レベルとともに前記各乳幼児の能力に関する履歴情報に基づいて、前記コンテンツを決定するのが好ましい。
【発明の効果】
【０００６】
本発明によれば、乳幼児の実際の成長に応じて適切なコンテンツを提供できる可能性が高いという効果が得られる。
【図面の簡単な説明】
【０００７】
【図１】図１は、本発明の第１の実施の形態におけるコンテンツ提供システム、電子機器および脳波センサの構成を示す図である。
【図２】図２は、乳幼児の脳波データが取得される様子を例示する図である。
【図３】図３は、乳幼児の脳の成長レベルに応じてコンテンツが配信される様子を例示する図である。
【図４】図４は、第１の実施の形態におけるコンテンツ提供システムでコンピュータプログラムが走行することによって実行されるコンテンツ提供処理の一例を示す図である。
【図５】図５は、本発明の第２の実施の形態におけるコンテンツ提供システムおよび電子機器の構成を示す図である。
【図６】図６は、乳幼児の能力に関する履歴情報に基づいて提供コンテンツが決定される様子を例示する図である。
【図７】図７は、本発明の第３の実施の形態におけるコンテンツ提供システムの構成と、そのコンテンツ提供システムにおける乳幼児の感情推定の一例を説明するための図である。
【図８】図８は、第３の実施の形態におけるコンテンツ提供システムでコンピュータプログラムが走行することによって実行されるコンテンツ提供処理の一例を示す図である。
【図９】図９は、本発明の第４の実施の形態におけるコンテンツ提供システムでコンピュータプログラムが走行することによって実行されるコンテンツ提供処理の一例を示す図である。
【図１０】図１０は、本発明の第５の実施の形態におけるコンテンツ提供システムの構成例と、コンテンツ視聴開始後の乳幼児の反応に関する反応情報の取得および利用の例を説明するための図である。
【図１１】図１１は、本発明の第６の実施の形態におけるコンテンツ提供システムにおいて行われる提供コンテンツに対する乳幼児の反応に関する反応情報が取得される様子および乳幼児の反応情報に基づく他の乳幼児に対するコンテンツ提供処理の例を説明するための図である。
【図１２】図１２は、各実施の形態におけるコンテンツ提供システムで走行するコンピュータプログラムの製品供給態様を例示する図である。
【図１３】図１３は、本発明の各実施の形態の変形例におけるコンテンツ提供システムにより提供される乳幼児向け商品の紹介記事が、電子機器の画面に表示される様子を例示するための図である。
【発明を実施するための形態】
【０００８】
−第１の実施の形態−
図１は、本発明の第１の実施の形態におけるコンテンツ提供システム２０、電子機器１０および脳波センサ５の構成を示す図である。図１（ａ）において、電子機器１０と、コンテンツ提供システム２０と、コンテンツ配信サーバ３５とが、通信ネットワーク３０を介して互いに接続されている。コンテンツ提供システム２０は、データベース２５と接続されているか、またはデータベース２５を内蔵する。電子機器１０は、Ｂｌｕｅｔｏｏｔｈ（登録商標）等の無線通信を介して脳波センサ５と接続されている。電子機器１０は、例えば、スマートフォン、タブレットコンピュータ、またはパーソナルコンピュータ等の携帯端末であり、専用端末であっても汎用端末であってもよい。コンテンツ配信サーバ３５は、コンテンツ提供システム２０による信号制御にしたがって、電子機器１０へコンテンツを配信する。配信されるコンテンツは、学習用コンテンツ、娯楽用コンテンツ等、乳幼児向けのコンテンツである。
【０００９】
図１（ｂ）に示すように、脳波センサ５は、プロセッサ６、メモリ７および通信モジュール８を有する。プロセッサ６は、メモリ７に格納されているコンピュータプログラムを起動することによって、脳波データ収集部６１を論理的に有する。脳波データ収集部６１は、脳波センサ５を着用した乳幼児の脳波を脳波データとして収集するとともに、収集した脳波データを、通信モジュール８を介して無線通信により電子機器１０へ送信する。
【００１０】
図１（ｃ）に示すように、電子機器１０は、プロセッサ１１、メモリ１２、入力インタフェース１３、出力装置１４および通信モジュール１５を有する。プロセッサ１１は、メモリ１２に格納されているコンピュータプログラムを起動することによって、入力インタフェース１３および通信モジュール１５の動作を制御するデータ処理部１１１と、出力装置１４を制御する出力制御部１１２とを、論理的に有する。入力インタフェース１３は、例えばタッチパネルである。後述する履歴情報および反応情報は、ユーザによる画面入力データとして入力インタフェース１３に入力される。出力装置１４は、例えばディスプレイおよび／またはタッチパネルであって、コンテンツ配信サーバ３５から配信されたコンテンツの、或いは後述する履歴情報および反応情報の入力画面の、表示出力機能を有する。通信モジュール１５は、脳波センサ５から脳波データを受信するとともに、その脳波データを、コンテンツ提供システム２０へ送信する。また、通信モジュール１５は、コンテンツ配信サーバ３５からコンテンツ、およびコンテンツ提供システム２０から後述する履歴情報および反応情報の入力画面表示用の情報を受信する。
【００１１】
図１（ｄ）に示すように、コンテンツ提供システム２０は、プロセッサ２１、メモリ２２および通信モジュール２３を有する。コンテンツ提供システム２０のプロセッサ２１は、メモリ２２に格納されているコンピュータプログラムを起動することによって、脳波データ取得部２１１と、成長レベル判定部２１２と、コンテンツ決定部２１３と、コンテンツ制御部２１４とを、論理的に有する。脳波データ取得部２１１は、脳波センサ５で収集され、電子機器１０から送信された乳幼児の脳波データを、通信モジュール２３を介して取得し、データベース２５に記録する。成長レベル判定部２１２は、後述するように、データベース２５を参照し、脳波データ取得部２１１によって取得された脳波データに含まれる複数の周波数成分の周波数成分比に基づいて、乳幼児の脳の成長レベルを判定する。コンテンツ決定部２１３は、データベース２５を参照し、成長レベル判定部２１２によって判定された乳幼児の脳の成長レベルに応じた提供用コンテンツを決定する。コンテンツ制御部２１４は、コンテンツ決定部２１３によって決定されたコンテンツが電子機器１０へ提供されるようにコンテンツ配信サーバ３５を制御する信号を、通信モジュール２３を介してコンテンツ配信サーバ３５へ送信する。
【００１２】
図２は、乳幼児１の脳波データ５１が取得される様子を例示する図である。図２（ａ）に例示するように、乳幼児１は脳波センサ５を着用する。脳波センサ５によって取得される乳幼児１の脳波５０は、図２（ｂ）に例示されるように、電位を縦軸、時刻を横軸とする波形で表される。脳波５０には様々な種類の脳波が含まれ、具体的にはガンマ波、ベータ波、アルファ波、シータ波およびデルタ波といった周波数成分が含まれる。
【００１３】
図２（ｃ）に例示されるように、ある日の１２時１０分における乳幼児１の脳波５０に含まれるガンマ波、ベータ波、アルファ波、シータ波およびデルタ波といった複数の周波数成分の周波数成分比は、それぞれ５％、５％、８％、１６％および６６％である。１２時１１分における乳幼児１の脳波５０に含まれる上述した複数の周波数成分の周波数成分比は、それぞれ４％、４％、９％、１３％および７０％である。１２時１２分における乳幼児１の脳波５０に含まれる上述した複数の周波数成分の周波数成分比は、それぞれ３％、６％、１０％、１４％および６７％である。１２時１３分における乳幼児１の脳波５０に含まれる上述した複数の周波数成分の周波数成分比は、それぞれ４％、５％、９％、１３％および６９％である。１２時１４分における乳幼児１の脳波５０に含まれる上述した複数の周波数成分の周波数成分比は、それぞれ５％、５％、１０％、１５％および６５％である。これら複数の周波数成分の周波数成分比のデータは、１２時１０分から１２時１４分までのデータに限られず、１２時１０分より前におけるデータ、および１２時１４分より後におけるデータも含め、乳幼児１＃１の脳波データ５１として、データベース２５に記録される。
【００１４】
図２（ｄ）に例示されるように、ｎ人の乳幼児１＃１、＃２、・・・、＃ｎのそれぞれから収集され、コンテンツ提供システム２０のプロセッサ２１に含まれる脳波データ取得部２１１によって取得された脳波データ５１は、データベース２５に記録される。
【００１５】
図３は、乳幼児１の脳の成長レベルに応じてコンテンツが配信される様子を例示する図である。乳幼児は年齢を重ねるにつれて脳も成長する。乳幼児の脳が成長すると、脳波に含まれる複数の周波数成分の周波数成分比は変動することが知られている。したがって、乳幼児の年齢にかかわらず一定の周波数成分比に基づいてコンテンツ提供を行うと、必ずしも適切でないコンテンツが乳幼児に提供されるおそれがある。これを考慮し、本実施の形態におけるコンテンツ提供システム２０においては、乳幼児１の年齢別に周波数成分比が記録された年齢別標準値テーブル５５を参照して乳幼児１の脳の成長レベルを判定する処理が行われる。したがって、データベース２５には、図３（ａ）に例示されるように、乳幼児１の脳波５０に含まれる複数の周波数成分の周波数成分比の年齢別標準値テーブル５５が、予め記録されているか、或いは、上述したｎ人の乳幼児１＃１、＃２、・・・、＃ｎの脳波データ５１に基づいて算出され、記録される。
【００１６】
図３（ａ）に例示される年齢別標準値テーブル５５によると、０歳４か月の乳幼児の脳波に含まれるガンマ波、ベータ波、アルファ波、シータ波およびデルタ波の周波数成分比の標準値は、それぞれ２％、３％、６％、１２％および７７％である。０歳６か月の乳幼児の脳波に含まれるそれら周波数成分比の標準値は、それぞれ４％、６％、７％、１３％および７０％である。０歳８か月の乳幼児の脳波に含まれるそれら周波数成分比の標準値は、それぞれ８％、１１％、１２％、１４％および５５％である。このほか、０歳４か月未満の乳幼児および０歳８か月を上回る年齢の乳幼児の脳波に含まれる各周波数成分比の標準値も、年齢別標準値テーブル５５に含まれている。
【００１７】
コンテンツ提供システム２０のプロセッサ２１に含まれる成長レベル判定部２１２は、データベース２５を参照し、乳幼児１の脳波データ５１と年齢別標準値テーブル５５とを比較することによって、乳幼児１の脳の成長レベルを判定する。例えば、乳幼児１の脳波に含まれる各周波数成分比の平均値と、年齢別標準値とに基づき、最小二乗法を用いることによって最も近い標準値に対応する年齢が特定され、その特定された年齢がその乳幼児１の脳の成長レベルを示すとして判定される。なお、各周波数成分の最小二乗値を算出する際、各周波数成分に対する重み付けを相異なる値としてもよい。例えば、乳幼児１の脳波の主成分がデルタ波であるとの仮定のもと、デルタ波の成分に対して付与する重みを、他の周波数成分に対して付与する重みよりも大きくすることが考えられる。
【００１８】
データベース２５には、図３（ｂ）に例示されるコンテンツと各コンテンツを視聴可能な乳幼児の年齢下限値とが対応付けられた年齢別コンテンツリスト９１が記録されている。年齢別コンテンツリスト９１には、例えば、コンテンツＶ１１およびＶ１２を視聴可能な乳幼児の年齢下限値はａ１であるというレコードと、コンテンツＶ２１、Ｖ２２およびＶ２３を視聴可能な乳幼児の年齢下限値はａ２であるというレコードとが含まれている。コンテンツ提供システム２０のプロセッサ２１に含まれるコンテンツ決定部２１３は、データベース２５を参照し、成長レベル判定部２１２によって判定された乳幼児１の脳の成長レベルに応じたコンテンツを、年齢別コンテンツリスト９１の中から決定する。例えば、乳幼児１の脳の成長レベルが年齢ａ２以上に相当すると判定された場合、コンテンツＶ２１、Ｖ２２およびＶ２３のうちのいずれか一つが、コンテンツ配信サーバ３５から電子機器１０へ提供されるコンテンツとして決定される。
【００１９】
このようにして決定されたコンテンツが電子機器１０へ提供されると、図３（ｃ）に例示されるように、乳幼児１は、電子機器１０の出力装置１４に表示されるコンテンツを視聴することができる。このとき、乳幼児１が脳波センサ５を着用しているならば、コンテンツを視聴中および視聴後の乳幼児１の脳波データ５１を引き続き取得することが可能である。
【００２０】
図４は、本実施の形態におけるコンテンツ提供システム２０でコンピュータプログラムが走行することによって実行されるコンテンツ提供処理の一例を示す図である。コンテンツ提供システム２０のプロセッサ２１は、メモリ２２に格納されているコンピュータプログラムを起動し、図４に示す処理を実行することによって、脳波データ取得部２１１と、成長レベル判定部２１２と、コンテンツ決定部２１３と、コンテンツ制御部２１４として機能する。
【００２１】
このコンテンツ提供処理が開始されると、ステップＳ４１０において、脳波データ取得部２１１は、通信モジュール２３を介し、電子機器１０から乳幼児１の脳波データ５１を取得する。ステップＳ４２０において、成長レベル判定部２１２は、上述した年齢別標準値テーブル５５を参照し、ステップＳ４１０にて取得された脳波データ５１に含まれる複数の周波数成分の周波数成分比に基づいて、乳幼児１の脳の成長レベルを判定する。なお、このステップＳ４２０における乳幼児１の脳の成長レベルの判定処理は、ステップＳ１０における脳波データの取得処理が行われるたびに必ずしも実行されずにスキップして後述するステップＳ４３０における処理が行われることとしてもよい。例えば、乳幼児１が０歳４か月になった後、ステップＳ４２０における乳幼児１の脳の成長レベルの判定処理が１回実行された履歴が記録されていれば、その乳幼児１が０歳４か月である期間は、それ以後のステップＳ４３０における脳波データの取得処理がスキップされる。その場合、後述するステップＳ４３０以降の処理ステップにおいては、ステップＳ４２０にて判定された乳幼児１の脳の成長レベルとして、その記録された成長レベル判定履歴が用いられる。
【００２２】
ステップＳ４３０において、コンテンツ決定部２１３は、上述した年齢別コンテンツリスト９１を参照し、ステップＳ４２０にて判定された乳幼児１の脳の成長レベルに応じたコンテンツを決定する。ステップＳ４３０にて決定されたコンテンツが電子機器１０へ提供されるようにコンテンツ配信サーバ３５を制御する信号を、ステップＳ４４０においてコンテンツ制御部２１４が通信モジュール２３を介してコンテンツ配信サーバ３５へ送信すると、電子機器１０へのコンテンツ提供が開始される。
【００２３】
ステップＳ４５０において、コンテンツ制御部２１４は、ステップＳ４４０に開始された電子機器１０へのコンテンツ提供の終了を検出したか否かを判定する。否定判定が得られた場合、肯定判定が得られるまでこの判定処理ステップを繰り返す。肯定判定が得られた場合、このコンテンツ提供処理はステップＳ４６０へ進む。ステップＳ４６０において、コンテンツ制御部２１４は、電子機器１０へのコンテンツ提供を継続するか否かを判定する。例えば、乳幼児１の養育者が電子機器１０の入力インタフェース１３を介してコンテンツ提供継続を希望する意思を示す入力操作を行うことによって、その入力操作により生成された信号が、通信モジュール２３を介してコンテンツ制御部２１４によって受信される。その受信信号に基づいて、コンテンツ制御部２１４は、電子機器１０へのコンテンツ提供を継続するか否かを判定する。肯定判定が得られた場合、このコンテンツ提供処理はステップＳ４１０へ戻る。否定判定が得られた場合、このコンテンツ提供処理は終了する。
【００２４】
本実施の形態におけるコンテンツ提供システム２０によれば、以下の作用効果が得られる。
【００２５】
コンテンツ提供システム２０は、脳波データ取得部２１１と成長レベル判定部２１２とコンテンツ決定部２１３とを含むプロセッサ２１を有する。脳波データ取得部２１１は、乳幼児１の脳波データ５１を取得する。成長レベル判定部２１２は、脳波データ５１に含まれる複数の周波数成分の周波数成分比に基づいて、乳幼児１の脳の成長レベルを判定する。コンテンツ決定部２１３は、成長レベルに応じたコンテンツを決定する。したがって、乳幼児１の脳の実際の成長に応じて適切なコンテンツを提供できる可能性が高まる。
【００２６】
−第２の実施の形態−
図５は、本発明の第２の実施の形態におけるコンテンツ提供システム２０および電子機器１０の構成を示す図である。なお、第２の実施の形態の説明において、第１の実施の形態と共通する内容については、説明を省略する。図５（ａ）において、電子機器１０のプロセッサ１１は、入力制御部１１３をさらに含む。後述するように、乳幼児１の養育者は、乳幼児１の能力に関する情報を、電子機器１０の入力インタフェース１３に表示された画面に入力する。入力制御部１１３は、こうした乳幼児１の能力に関する情報の入力を制御する。なお、電子機器１０の出力装置１４は、タッチパネル式ディスプレイで構成され、入力インタフェース１３の機能をも果たすものとする。入力された乳幼児１の能力に関する情報は、その情報が初めて確認されたときの生後年齢の情報とともに、乳幼児１の能力に関する履歴情報として、コンテンツ提供システム２０へ送信される。乳幼児１の能力に関する履歴情報のコンテンツ提供システム２０への送信は、データ処理部１１１により、通信モジュール１５を介して行われる。
【００２７】
図５（ｂ）において、コンテンツ提供システム２０のプロセッサ２１は、履歴情報取得部２１５をさらに含む。履歴情報取得部２１５は、電子機器１０から送信された乳幼児１の能力に関する履歴情報を、通信モジュール２３を介して取得し、データベース２５に記録する。乳幼児１の能力に関する履歴情報は、後述するように、コンテンツ決定部２１３によるコンテンツの決定に用いられる。
【００２８】
図６は、乳幼児の能力に関する履歴情報５４に基づいて提供コンテンツが決定される様子を例示する図である。図６（ａ）に例示するように、電子機器１０の出力装置１４には、乳幼児１の養育者が、乳幼児１の能力に関する情報を入力するための画面が表示され、その画面には、メッセージ１４１および入力欄１４２が表示されている。具体的には、メッセージ１４１として、「お子様は何が初めてできるようになりましたか？」というメッセージが表示されている。これを受けて、「二語文を話す」という、乳幼児１の能力に関する項目が表示されており、この項目に対応する入力欄１４２として表示されている「初めてできた」という囲み枠で示された領域に対して入力操作を養育者が行うと、その入力操作時点における乳幼児１の年齢が、自動または手動で入力される。なお、メッセージ１４１および入力欄１４２の表示、および入力欄１４２への入力は、プロセッサ１１が有する入力制御部１１３によって制御される。
【００２９】
出力装置１４に表示された画面には、乳幼児１の能力に関する項目の一つとして、「積み木を６個積む」という表示も出力されている。この能力はまだ確認されていないのであれば、この項目に対応する入力欄１４２として表示されている「初めてできた」という囲み枠で示された領域に対する入力操作は行われない。出力装置１４に表示された画面には、乳幼児１の能力に関する項目の一つとして、「自分で手を洗う」という表示も出力されている。この能力は既に確認されているため、この能力が初めて確認された乳幼児１の年齢として、「１歳３か月」という表示が出力されている。こうして乳幼児１の能力に関する履歴情報が電子機器１０において編集され、上述したように、コンテンツ提供システム２０へ送信される。
【００３０】
図６（ｂ）は、電子機器１０からコンテンツ提供システム２０へ送信され、プロセッサ２１の履歴情報取得部２１５によってデータベース２５に記録された、乳幼児１＃１の能力に関する履歴情報５４を例示する。この履歴情報５４によると、「はいはいをする」という能力、「自分で手を洗う」という能力、および「二語文を話す」という能力は、乳幼児１＃１において、それぞれ「０歳６か月」、「１歳３か月」、および「１歳６か月」という生後年齢で初めて確認されたということが分かる。
【００３１】
図６（ｃ）に例示するように、図３（ｂ）と同様にコンテンツと各コンテンツを視聴可能な乳幼児の年齢下限値とが対応付けられた年齢別コンテンツリスト９１が、乳幼児１の能力に関する視聴条件も対応付けられたフォーマットで、データベース２５に記録されている。年齢別コンテンツリスト９１には、例えば、コンテンツＶ１１およびＶ１２を視聴可能な乳幼児の年齢下限値はａ１であるというレコードと、コンテンツＶ２１、Ｖ２２およびＶ２３を視聴可能な乳幼児の年齢下限値はａ２であるというレコードとが含まれている。
【００３２】
コンテンツＶ１１には、乳幼児１の能力に関する視聴条件Ｃ１が対応付けられ、コンテンツＶ１２には、乳幼児１の能力に関する視聴条件Ｃ２が対応付けられている。コンテンツＶ２１には、乳幼児１の能力に関する視聴条件Ｃ２が対応付けられ、コンテンツＶ２２には、乳幼児１の能力に関する視聴条件Ｃ３が対応付けられ、コンテンツＶ２３には、乳幼児１の能力に関する視聴条件Ｃ４が対応付けられている。
【００３３】
例えば、年齢ａ２に達しない乳幼児１＃１の脳の成長レベルが高く、平均的な乳幼児１においては年齢ａ２以上に達しないと初めて確認されない「二語文を話す」という能力が、乳幼児１＃１に確認されるケースが考えられる。そこで、コンテンツＶ１２として、年齢ａ２以上に達しない乳幼児１にとっては高度なコンテンツを設け、視聴条件Ｃ２として「二語文を話す」という乳幼児１の能力が確認済みであることを設定しておくことで、乳幼児１＃１の脳の成長レベルに応じたコンテンツが提供され得ることとなる。このように、コンテンツ提供システム２０のプロセッサ２１に含まれるコンテンツ決定部２１３は、データベース２５を参照し、成長レベル判定部２１２によって判定された乳幼児１の脳の成長レベルに応じたコンテンツを、年齢別コンテンツリスト９１の中から、乳幼児１の能力に関する履歴情報５４に基づいて決定する。
【００３４】
本実施の形態におけるコンテンツ提供システム２０によれば、以下の作用効果が得られる。
【００３５】
コンテンツ提供システム２０において、コンテンツ決定部２１３は、成長レベル判定部２１２によって判定された乳幼児１の脳の成長レベルとともに、乳幼児１の能力に関する履歴情報５４に基づいて、コンテンツを決定する。したがって、乳幼児１の脳の実際の成長に応じて適切なコンテンツを提供できる可能性が、さらに高まる。
【００３６】
−第３の実施の形態−
図７は、本発明の第３の実施の形態におけるコンテンツ提供システム２０の構成と、そのコンテンツ提供システム２０における乳幼児１の感情推定の一例を説明するための図である。なお、第３の実施の形態の説明において、第１または第２の実施の形態と共通する内容については、説明を省略する。図７（ａ）において、コンテンツ提供システム２０のプロセッサ２１は、感情推定部２１６をさらに含む。感情推定部２１６は、後述するように、乳幼児１の脳波データ５１に含まれる複数の周波数成分の周波数成分比に基づいて乳幼児１の感情を推定する。コンテンツ決定部２１３は、乳幼児１の脳の成長レベルとともに感情推定部２１６によって推定された乳幼児１の感情に応じたコンテンツを決定する。
【００３７】
上述したように、乳幼児の脳が成長すると、脳波に含まれる複数の周波数成分の周波数成分比は変動することが知られているが、さらに、乳幼児の感情によってもその周波数成分比は変動する。本実施の形態においては、感情別脳波周波数成分比テーブルを、乳幼児１毎に予めデータベース２５に記録しておく。図７（ｂ）に、ある乳幼児１＃１の感情別脳波周波数成分比テーブル５７を例示する。その乳幼児１＃１が喜んでいるときの脳波５０に含まれるガンマ波、ベータ波、アルファ波、シータ波およびデルタ波といった複数の周波数成分の周波数成分比は、それぞれ０％、１１％、１２％、９％および６８％である。乳幼児１＃１が泣いているときの脳波５０に含まれる上述した複数の周波数成分の周波数成分比は、それぞれ６％、１２％、１％、１１％および７０％である。乳幼児１＃１が眠そうな状態にあるときの脳波５０に含まれる上述した複数の周波数成分の周波数成分比は、それぞれ２％、０％、１％、１６％および８１％である。その他の様々な感情に対応する周波数成分比が感情別脳波周波数成分比テーブル５７に記録されていてもよい。
【００３８】
図８は、本実施の形態におけるコンテンツ提供システム２０でコンピュータプログラムが走行することによって実行されるコンテンツ提供処理の一例を示す図である。コンテンツ提供システム２０のプロセッサ２１は、メモリ２２に格納されているコンピュータプログラムを起動し、図８に示す処理を実行することによって、脳波データ取得部２１１と、成長レベル判定部２１２と、コンテンツ決定部２１３と、コンテンツ制御部２１４と、感情推定部２１６として機能する。
【００３９】
図８は、図４と同様の処理ステップを含んでおり、それらについては説明を省略する。図８においては、図４におけるステップＳ４２０とステップＳ４３０との間にステップＳ４２５で表される処理ステップが挿入されている。ステップＳ４２５においては、感情推定部２１６が、ステップＳ４１０で取得された乳幼児１の脳波データ５１に含まれる複数の周波数成分の周波数成分比に基づいて、予めデータベース２５に記録された乳幼児１の感情別脳波周波数成分比テーブル５７を参照し、乳幼児１の感情を推定する。例えば、乳幼児１の脳波に含まれる各周波数成分比の平均値と、感情別脳波周波数成分比とに基づき、最小二乗法を用いることによって最も近い周波数成分比に対応する感情（例えば、「喜んでいる」、「泣いている」または「眠そう」）が特定され、その特定された感情がその乳幼児１の感情として推定される。
【００４０】
本実施の形態においては、図６（ｃ）と同様に、コンテンツと、各コンテンツを視聴可能な乳幼児の年齢下限値と、視聴条件とが対応付けられた年齢別コンテンツリスト９１が、データベース２５に記録されている。視聴条件は、例えば「喜んでいる」、「泣いている」および「眠そう」といった感情に対応している。コンテンツ決定部２１３は、この年齢別コンテンツリスト９１を参照し、感情推定部２１６によって推定された乳幼児１の感情に応じたコンテンツを決定する（図８のステップＳ４３０参照）。
【００４１】
なお、乳幼児１の感情に応じて決定されるコンテンツは、そのコンテンツを乳幼児１に視聴させる目的に依存する。例えば、夜間帯に乳幼児１を寝かしつける、或いは日中帯に乳幼児１に学習させる、といった目的が考えられる。このような乳幼児１のコンテンツ視聴目的を、乳幼児１の養育者がコンテンツの提供を受けようとするたびに設定することとしてもよいし、時刻に応じて自動的に設定することとしてもよい。こうして設定された目的に応じて、例えば喜んでいる乳幼児１に対して、夜間帯においてはその乳幼児１の眠気を促すコンテンツがコンテンツ決定部２１３により決定され、日中帯においてはその乳幼児１を落ち着かせて学習させるコンテンツがコンテンツ決定部２１３により決定される。年齢別コンテンツリスト９１に含まれる各コンテンツが、喜んでいる乳幼児に対して眠気を促すコンテンツであるか、或いは喜んでいる乳幼児に落ち着いて学習させるコンテンツであるかは、年齢別コンテンツリスト９１の視聴条件として各コンテンツに対応付けられる。
【００４２】
本実施の形態におけるコンテンツ提供システム２０によれば、以下の作用効果が得られる。
【００４３】
コンテンツ提供システム２０のプロセッサ２１は、乳幼児１の脳波データに含まれる複数の周波数成分の周波数成分比に基づいて、乳幼児１の感情を推定する感情推定部２１６をさらに有する。コンテンツ決定部２１３は、乳幼児１の脳の成長レベルとともに乳幼児１の感情に応じたコンテンツを決定する。したがって、乳幼児１の脳の実際の成長のみならず、乳幼児１の内面の状態に応じて適切なコンテンツを提供できる可能性が高まる。
【００４４】
−第４の実施の形態−
図９は、本発明の第４の実施の形態におけるコンテンツ提供システム２０でコンピュータプログラムが走行することによって実行されるコンテンツ提供処理の一例を示す図である。なお、第４の実施の形態の説明において、第１、第２または第３の実施の形態と共通する内容については、説明を省略する。また、図９は、図８と同様の処理ステップを含んでおり、それらについては説明を省略する。図９においては、図８におけるステップＳ４２５とステップＳ４３０との間にステップＳ４２６、Ｓ４２７およびＳ４２８で表される判定処理ステップが挿入されている。さらに、ステップＳ４５０において否定判定が得られたとき、図９においては、このコンテンツ提供処理はステップＳ４１０へ戻る。このように構成されたこのコンテンツ提供処理においては、コンテンツ視聴中の乳幼児１の感情に応じて提供コンテンツを変更することができる。
【００４５】
ステップＳ４２５において乳幼児１の感情が推定された後、ステップＳ４２６において、その乳幼児１がコンテンツ視聴中であるか否かが、感情推定部２１６によって判定される。否定判定が得られた場合は、ステップＳ４３０の処理が行われる。肯定判定が得られた場合は、ステップＳ４２７の処理が行われる。
【００４６】
ステップＳ４２７において、感情推定部２１６は、乳幼児１の感情変化があるか否かを判定する。例えば、前回のコンテンツ提供処理におけるステップＳ４３０にてコンテンツ決定部２１３によって決定されたコンテンツを乳幼児１が視聴開始する前の、第１の状態における乳幼児１の脳波データ５１が、前回のコンテンツ提供処理におけるステップＳ４１０にて脳波データ取得部２１１により取得されている。また、そのコンテンツを乳幼児１が視聴開始した後の、第２の状態における乳幼児１の脳波データ５１が、今回のコンテンツ提供処理におけるステップＳ４１０にて脳波データ取得部２１１により取得されている。感情推定部２１６は、上述した第１の状態と第２の状態との間における、乳幼児１の脳波データ５１に含まれる複数の周波数成分の周波数成分比の変動に応じた乳幼児１の感情の変化を検出する。
【００４７】
ステップＳ４２７において、否定判定が得られた場合は、このコンテンツ提供処理はステップＳ４５０へ進む。肯定判定が得られた場合は、ステップＳ４２８の処理が行われる。
【００４８】
ステップＳ４２８において、コンテンツ決定部２１３は、ステップＳ４２７で感情推定部２１６によって検出された乳幼児１の感情の変化に基づいて、乳幼児１が視聴中のコンテンツを変更するか否かを決定する。例えば、乳幼児１の感情の変化の際、乳幼児１の脳波データ５１に含まれる複数の周波数成分の周波数成分比の変動量が所定値以上に達するとき、乳幼児１が視聴中のコンテンツが変更されることが決定される。肯定判定が得られた場合は、続いてステップＳ４３０以降の処理が行われることによって、乳幼児１が視聴中のコンテンツが変更される。否定判定が得られた場合は、ステップＳ４５０の処理が行われる。
【００４９】
ステップＳ４５０において、肯定判定が得られた場合、ステップＳ４６０の処理が行われる。ステップＳ４５０において、否定判定が得られた場合、このコンテンツ提供処理はステップＳ４１０へ戻って、その後、再度、乳幼児１の感情の変化に基づいて、乳幼児１が視聴中のコンテンツを変更するか否かを決定する処理が行われる。
【００５０】
本実施の形態におけるコンテンツ提供システム２０によれば、以下の作用効果が得られる。
【００５１】
コンテンツ提供システム２０のプロセッサ２１は、乳幼児１の脳波データ５１に含まれる複数の周波数成分の周波数成分比に基づいて乳幼児１の感情を推定する感情推定部２１６を有する。脳波データ取得部２１１は、コンテンツ決定部２１３によって決定されたコンテンツを乳幼児１が視聴開始する前の第１の状態における乳幼児１の脳波データ５１とともに、コンテンツ決定部２１３によって決定されたコンテンツを乳幼児１が視聴開始した後の第２の状態における乳幼児１の脳波データ５１を取得する。感情推定部２１６は、上述した第１の状態と第２の状態との間における乳幼児１の脳波データ５１の上述した周波数成分比の変動に応じた、乳幼児１の感情の変化を検出する。コンテンツ決定部２１３は、感情推定部２１６によって検出された乳幼児１の感情の変化に基づいて、乳幼児１が視聴中のコンテンツを変更するか否かを決定する。したがって、乳幼児１の脳の実際の成長のみならず、乳幼児１の内面の状態に応じて適切なコンテンツをタイムリーに提供できる可能性が高まる。
【００５２】
−第５の実施の形態−
図１０は、本発明の第５の実施の形態におけるコンテンツ提供システム２０の構成例と、コンテンツ視聴開始後の乳幼児１の反応に関する反応情報１４６の取得および利用の例を説明するための図である。なお、第５の実施の形態の説明において、第１、第２、第３または第４の実施の形態と共通する内容については、説明を省略する。図１０（ａ）において、コンテンツ提供システム２０のプロセッサ２１は、反応情報取得部２１７をさらに含む。反応情報取得部２１７は、電子機器１０から送信された後述する乳幼児１の反応に関する反応情報を、通信モジュール２３を介して取得し、データベース２５に記録する。乳幼児１の反応に関する反応情報は、後述するように、コンテンツ決定部２１３によるコンテンツの変更に用いられる。
【００５３】
本実施の形態においては、コンテンツ視聴開始後の乳幼児１の感情の変化を、上述した第４の実施の形態と同様に感情推定部２１６が検出する一方、その感情の変化の検出を契機として、反応情報取得部２１７が、電子機器１０の出力装置１４に表示される入力用の画面を介して乳幼児１の養育者に乳幼児１の感情変化の内容を問い合わせることにより、乳幼児１の反応に関する反応情報を取得する処理が追加される。電子機器１０から送信される反応情報は、図１０（ｂ）に例示される電子機器１０の出力装置１４に表示される入力用の画面に、乳幼児１の養育者がコンテンツを視聴開始後の乳幼児１の反応に関する反応情報１４６を入力する操作を行うことによって得られる。なお、説明のため、図１０（ｂ）においては図示を省略したが、その入力用の画面は乳幼児１の視聴中のコンテンツとともに表示されていてもよいし、コンテンツ表示画面をいったんバックグラウンドに移行して入力用の画面のみを表示することとしてもよいし、コンテンツが表示される電子機器１０とは別の電子機器にその入力用の画面が表示されることとしてもよい。
【００５４】
図１０（ｂ）に示される入力用の画面には、メッセージ１４５および反応情報１４６が表示されている。具体的には、メッセージ１４５として、「視聴中のお子様の感情に変化がありましたか？」というメッセージが表示されている。このメッセージに対して回答するための選択肢として、反応情報１４６が表示されている。反応情報１４６としては、「喜んだ」「泣いた」「眠くなった」「その他」という選択肢が表示されている。乳幼児１＃１の養育者により、反応情報１４６として例えば「泣いた」という選択肢が電子機器１０の画面上で入力操作されると、その反応情報１４６が電子機器１０から送信される。反応情報取得部２１７は、コンテンツを視聴開始後の乳幼児１の反応に関するその反応情報１４６を、通信モジュール２３を介して取得する。コンテンツ決定部２１３は、反応情報取得部２１７によって取得された反応情報１４６に基づいて、感情推定部２１６により検出されたコンテンツを視聴開始後の乳幼児１の感情の変化が発生しているか否かを正確に判断することが可能となり得る。コンテンツ決定部２１３は、その判断結果に応じて乳幼児１が視聴中のコンテンツを変更するか否かを決定する。
【００５５】
反応情報取得部２１７によって取得された、コンテンツ視聴開始後の状態にある乳幼児１の反応情報１４６と、脳波データ取得部２１１によって取得された、コンテンツ視聴開始後の状態にある乳幼児１の脳波データ５１に含まれる複数の周波数成分の周波数成分比とに基づいて、図１０（ｃ）に例示されるように、データベース２５に記録される図７（ｂ）に例示した乳幼児１の感情別脳波周波数成分比テーブル５７をアップデートすることができる。
【００５６】
その場合、引き続きコンテンツを視聴中の乳幼児１の脳波データ５１に含まれる複数の周波数成分の周波数成分比の変動に応じた感情の変化を感情推定部２１６が再び検出した場合、乳幼児１の養育者に反応情報１４６を入力させる必要が無い。感情推定部２１６は、反応情報取得部２１７によって既に取得された反応情報１４６に基づいてアップデートされた感情別脳波周波数成分比テーブル５７を参照することによって、乳幼児１の感情を推定できるため、乳幼児１の感情の変化をより正確に検出できる。コンテンツ決定部２１３は、感情推定部２１６によって検出された乳幼児１の感情の変化に基づいて、乳幼児１が視聴中のコンテンツを変更するか否かを決定する。
【００５７】
本実施の形態におけるコンテンツ提供システム２０によれば、以下の作用効果が得られる。
【００５８】
コンテンツ提供システム２０のプロセッサ２１は、コンテンツを視聴開始後の状態における乳幼児１の反応に関する反応情報１４６を取得する反応情報取得部２１７をさらに有する。感情推定部２１６は、乳幼児１の反応情報１４６に基づいて、乳幼児１の脳波データ５１に含まれる複数の周波数成分の周波数成分比の変動に応じた乳幼児１の感情の変化を検出する。コンテンツ決定部２１３は、感情推定部２１６によって検出された乳幼児１の感情の変化に基づいて、乳幼児１が視聴中のコンテンツを変更するか否かを決定する。したがって、乳幼児１の脳の実際の成長のみならず、乳幼児１の内面の状態をより正確に踏まえた適切なコンテンツをタイムリーに提供できる可能性が高まる。
【００５９】
−第６の実施の形態−
図１１は、本発明の第６の実施の形態におけるコンテンツ提供システムにおいて行われる提供コンテンツに対する乳幼児１＃１の反応に関する反応情報１４８が取得される様子および乳幼児１＃１の反応情報１４８に基づく他の乳幼児１＃２に対するコンテンツ提供処理の例を説明するための図である。なお、第６の実施の形態の説明において、第１、第２、第３、第４または第５の実施の形態と共通する内容については、説明を省略する。
【００６０】
反応情報取得部２１７は、コンテンツ終了後に、電子機器１０の出力装置１４に表示される入力用の画面を介して乳幼児１の養育者にコンテンツ視聴開始後の乳幼児１の反応を問い合わせることにより、電子機器１０から乳幼児１の反応情報を取得することができる。電子機器１０から送信される反応情報は、図１１（ａ）に例示される電子機器１０の出力装置１４に表示される入力用の画面に対し、コンテンツ視聴開始後の乳幼児１のコンテンツに対する反応に関する反応情報１４８を、乳幼児１の養育者がコンテンツ終了後に入力する操作を行うことによって得られる。
【００６１】
例えば乳幼児１＃１へのコンテンツＶ２２の提供が終了した後、図１１（ａ）に示される入力用の画面には、メッセージ１４７および反応情報１４８が表示されている。具体的には、メッセージ１４７として、「今回のコンテンツをお子様は喜んでいましたか？」というメッセージが表示されている。このメッセージに対して回答するための選択肢として、反応情報１４８が表示されている。反応情報１４８としては、「喜んでいた」「泣いていた」「眠そうだった」「その他」という選択肢が表示されている。乳幼児１＃１の養育者により、コンテンツＶ２２に対する乳幼児１＃１の反応情報１４８として例えば「喜んでいた」という選択肢が電子機器１０の画面上で入力操作されると、その反応情報１４８が電子機器１０から送信され、反応情報取得部２１７は、その反応情報１４８を、通信モジュール２３を介して取得する。
【００６２】
同様にして、様々なコンテンツに対する乳幼児１＃１の反応情報１４８を、反応情報取得部２１７は取得することができる。また、各コンテンツの視聴開始後の乳幼児１＃１の脳波データ５１に含まれる複数の周波数成分の周波数成分比を、脳波データ取得部２１１は取得することができる。反応情報取得部２１７によって取得された、様々なコンテンツ視聴開始後の状態にある乳幼児１＃１の反応情報１４８と、脳波データ取得部２１１によって取得された、それらのコンテンツ視聴開始後の状態にある乳幼児１＃１の脳波データ５１とに基づいて、図１０（ｃ）と同様の感情別脳波周波数成分比テーブル５７を、データベース２５に記録することができる。
【００６３】
さらに、反応情報取得部２１７によって取得された、様々なコンテンツ視聴開始後の状態にある乳幼児１＃１の反応情報１４８と、脳波データ取得部２１１によって取得された、それらのコンテンツ視聴開始後の状態にある乳幼児１＃１の脳波データ５１とに基づいて、図１１（ｂ）に示すような年齢別コンテンツリスト９１を作成することができる。反応情報取得部２１７は、乳幼児１＃１はコンテンツＶ２２を視聴開始した後、「喜んでいた」という乳幼児１＃１の反応情報１４８を取得している。乳幼児１＃１の年齢がａ２以上であるとしたとき、反応情報取得部２１７は、その反応情報１４８に基づき、データベース２５に記録されている年齢別コンテンツリスト９１において、年齢下限値ａ２のコンテンツＶ２２に対応する視聴条件として、乳幼児１＃１には好適であったことを記録する。また、図１１（ｂ）に示す例では、コンテンツＶ２１を視聴開始した後の乳幼児１＃１の反応情報１４８に基づき、年齢別コンテンツリスト９１において、年齢下限値ａ２のコンテンツＶ２１に対応する視聴条件として、乳幼児１＃１には不適であったことが記録されている。乳幼児１＃１はコンテンツＶ２３を視聴していないため、年齢別コンテンツリスト９１において、年齢下限値ａ２のコンテンツＶ２３に対応する視聴条件の欄には、乳幼児１＃１の反応情報１４８に基づく視聴条件は記録されておらず、未設定となっている。
【００６４】
また、乳幼児１＃１とは異なる他の乳幼児１＃２に対応する感情別脳波周波数成分比テーブル５７もまた、同様にしてデータベース２５に記録されているものとする。ここで、乳幼児１＃１および乳幼児１＃２とは異なる他の乳幼児１＃３が、コンテンツＶ２１の視聴を開始したとする。さらに、その乳幼児１＃３に対応する感情別脳波周波数成分比テーブル５７がまだデータベース２５に記録されていないものとする。その乳幼児１＃３がコンテンツＶ２１の視聴を開始する前の状態から乳幼児１＃３の脳波データ５１が、図９と同様のコンテンツ提供処理を通じて、脳波データ取得部２１１により繰り返し取得される。取得された脳波データ５１に含まれる複数の周波数成分の周波数成分比の変動に応じた乳幼児１＃３の感情の変化が、図９と同様のコンテンツ提供処理を通じて、感情推定部２１６により検出される。
【００６５】
ここまでで乳幼児１＃３の感情の変化は検出されるが、その乳幼児１＃３に対応する感情別脳波周波数成分比テーブル５７が存在しないため、乳幼児１＃３の感情がどのように変化したのかを特定することができない。そこで、感情推定部２１６は、乳幼児１＃１に対応する感情別脳波周波数成分比テーブル５７と、乳幼児１＃２に対応する感情別脳波周波数成分比テーブル５７とを参照し、乳幼児１＃３の脳波データ５１に含まれる複数の周波数成分の周波数成分比の変動に対応する乳幼児１＃３の感情の変化を特定する。具体的には、乳幼児１＃３の脳波データ５１に含まれる複数の周波数成分の周波数成分比の変動データが、乳幼児１＃１の脳波データ５１に含まれる複数の周波数成分の周波数成分比の変動データと、乳幼児１＃２の脳波データ５１に含まれる複数の周波数成分の周波数成分比の変動データとのいずれに類似するかを、例えば最小二乗法を用いることにより検出する。乳幼児１＃３の変動データは、乳幼児１＃２の変動データよりも乳幼児１＃１の変動データに類似することが検出された場合、感情推定部２１６は、乳幼児１＃３の感情変化を、乳幼児１＃１に基づいて推定する。
【００６６】
コンテンツ決定部２１３は、感情推定部２１６によって推定された乳幼児１＃３の感情変化に基づき、その乳幼児１＃３が視聴しているコンテンツＶ２１を変更するか否かを決定する。例えば、コンテンツＶ２１の視聴を開始した後の乳幼児１＃３の脳波データ５１に含まれる複数の周波数成分の周波数成分比の変動量が所定値よりも大きく、しかも変化後の感情が泣いている状態であるとき、コンテンツの変更が決定される。図１１（ｂ）に例示する年齢別コンテンツリスト９１によれば、コンテンツＶ２２が乳幼児１＃１には好適との視聴条件が設定されていることから、同様の感情変化を示した乳幼児１＃３にもコンテンツＶ２２が適していると考えられる。そこで、コンテンツ決定部２１３は、乳幼児１＃３が視聴しているコンテンツＶ２１を、コンテンツＶ２２に変更することを決定する。
【００６７】
本実施の形態におけるコンテンツ提供システム２０によれば、以下の作用効果が得られる。
【００６８】
コンテンツ提供システム２０は、コンテンツの視聴を開始した後の状態における乳幼児１＃１の脳波データ５１と反応情報１４８とが対応付けられたデータベース２５をさらに有する。感情推定部２１６は、データベース２５によって脳波データ５１と反応情報１４８とが対応付けられた乳幼児１＃１とは異なる他の乳幼児１＃３の脳波データ５１に含まれる複数の周波数成分の周波数成分比の変動に対応する乳幼児１＃３の感情の変化を、データベース２５を参照して推定する。コンテンツ決定部２１３は、コンテンツ視聴開始前後における乳幼児１＃３の感情の変化に基づいて、乳幼児１＃３が視聴しているコンテンツを変更するか否かを決定する。したがって、コンテンツ提供を初めて受ける乳幼児１＃３の内面の状態を踏まえた適切なコンテンツをタイムリーに提供できる可能性が高まる。
【００６９】
図１２は、上述した各実施の形態におけるコンテンツ提供システム２０で走行するコンピュータプログラムの製品供給態様を例示する図である。コンテンツ提供システム２０で走行するコンピュータプログラムは、ＣＤ−ＲＯＭやＵＳＢメモリ等の記録媒体４５や、インターネット等の通信ネットワーク３０を流れるデータ信号を通じてコンテンツ提供システム２０へ提供することができる。
【００７０】
コンピュータプログラム提供サーバ４０は、上述したコンピュータプログラムを提供するサーバコンピュータであり、ハードディスク等の記録媒体にそのコンピュータプログラムを格納する。通信ネットワーク３０は、インターネット、無線ＬＡＮ、電話網、或いは専用線等である。コンピュータプログラム提供サーバ４０は記録媒体に格納されたコンピュータプログラムを読み出し、データ信号として搬送波に載せ、通信ネットワーク３０を介してコンテンツ提供システム２０に送信する。このように、コンピュータプログラムは、記録媒体やデータ信号などの種々の形態のコンピュータ読み込み可能なコンピュータプログラム製品として供給できる。
【００７１】
次のような変形も本発明の範囲内であり、変形例の一つ、もしくは複数を上述の実施形態と組み合わせることも可能である。
【００７２】
（変形例１）上述した各実施の形態において、コンテンツ提供システム２０のプロセッサ２１が有するコンテンツ決定部２１３は、乳幼児１の脳の成長レベルに応じたコンテンツを決定する。こうして提供されるコンテンツは、その乳幼児１が視聴するための、乳幼児向けコンテンツには限られない。提供コンテンツには、例えば、乳幼児１の養育者を対象とする、乳幼児向け商品の紹介記事が含まれることとしてもよい。
【００７３】
図１３は、本発明の各実施の形態の変形例１におけるコンテンツ提供システム２０により提供される乳幼児向け商品の紹介記事１４９が、電子機器１０の画面に表示される様子を例示するための図である。紹介記事１４９の上段には、「お子様が気に入りそうな商品をご紹介します」と表示され、その表示の下に、３種類の乳幼児向け商品Ａ，ＢおよびＣが表示されている。
【００７４】
上述したように、コンテンツ提供システム２０のプロセッサ２１に含まれる成長レベル判定部２１２は、乳幼児１の成長レベルを判定することができる。そこで、成長レベル判定部２１２によって判定された乳幼児１の脳の成長レベルに応じた３種類の乳幼児向け商品Ａ，ＢおよびＣについての紹介記事１４９のデータが、コンテンツ制御部２１４によって通信モジュール２３を介して電子機器１０へ送信される。電子機器１０のプロセッサ１１の出力制御部１１２は、通信モジュール１５を介してコンテンツ提供システム２０より受信した紹介記事１４９のデータに基づき、紹介記事１４９を出力装置１４の画面に表示する。こうして、乳幼児１の養育者に対し、出力装置１４の画面に表示された紹介記事１４９を通じて、乳幼児１の脳の成長レベルに応じた３種類の乳幼児向け商品Ａ，ＢおよびＣをレコメンドすることができる。
【００７５】
（変形例２）上述した各実施の形態において、脳波センサ５、電子機器１０、コンテンツ提供システム２０、データベース２５およびコンテンツ配信サーバ３５は、それぞれ独立しているものとして説明したが、適宜組み合わされてもよい。例えば、脳波センサ５および電子機器１０が一体として構成されてもよい。例えば、コンテンツ提供システム２０、データベース２５およびコンテンツ配信サーバ３５が一体として構成されてもよい。電子機器１０およびコンテンツ提供システム２０が一体として構成されてもよい。或いは、電子機器１０が、脳波センサ５にて収集されたデータのコンテンツ提供システム２０への中継機能を有する中継用電子機器と、コンテンツ提供システム２０による制御のもとでコンテンツ配信サーバ３５から配信されるコンテンツを画面に表示出力する出力用電子機器とに分離して構成されてもよい。
【００７６】
本発明の特徴的な機能を損なわない限り、本発明は、上述した各実施の形態および各変形例における構成に何ら限定されない。
【符号の説明】
【００７７】
１  乳幼児、５  脳波センサ、６  プロセッサ、７  メモリ、８  通信モジュール、１０  電子機器、１１  プロセッサ、１２  メモリ、１３  入力インタフェース、１４  出力装置、１５  通信モジュール、２０  コンテンツ提供システム、２１  プロセッサ、２２  メモリ、２３  通信モジュール、２５  データベース、３０  通信ネットワーク、３５  コンテンツ配信サーバ、４０  コンピュータプログラム提供サーバ、４５  記録媒体、５０  脳波、５１  脳波データ、５４  履歴情報、５５  年齢別標準値テーブル、５７  感情別脳波周波数成分比テーブル、６１  脳波データ収集部、９１  年齢別コンテンツリスト、１１１  データ処理部、１１２  出力制御部、１１３  入力制御部、１４１，１４５，１４７  メッセージ、１４２  入力欄、１４６，１４８  反応情報、１４９  紹介記事、２１１  脳波データ取得部、２１２  成長レベル判定部、２１３  コンテンツ決定部、２１４  コンテンツ制御部、２１５  履歴情報取得部、２１６  感情推定部、２１７  反応情報取得部
【要約】
コンテンツ提供システムは、乳幼児の脳波データを取得する脳波データ取得部と、前記脳波データに含まれる複数の周波数成分の周波数成分比に基づいて、前記乳幼児の脳の成長レベルを判定する成長レベル判定部と、前記成長レベルに応じたコンテンツを決定するコンテンツ決定部とを備える。【図１】
0006627059.tif 000002
【図２】
0006627059.tif 000003
【図３】
0006627059.tif 000004
【図４】
0006627059.tif 000005
【図５】
0006627059.tif 000006
【図６】
0006627059.tif 000007
【図７】
0006627059.tif 000008
【図８】
0006627059.tif 000009
【図９】
0006627059.tif 000010
【図１０】
0006627059.tif 000011
【図１１】
0006627059.tif 000012
【図１２】
0006627059.tif 000013
【図１３】
0006627059.tif 000014